(57)【要約】【課題】  過酸化水素を含む２剤型染毛剤第二剤をフィルム製容器に収納した包装体において、過酸化水素の分解により発生する酸素による容器の膨張を防止するとともに、２剤型染毛剤第二剤中の過酸化水素の濃度変化を抑える。【解決手段】  水に対する過酸化水素の含有率がｙである２剤型染毛剤第二剤をフィルムよりなる容器内に充填して包装体を製造するに当たり、フィルムとして、包装体中における過酸化水素の分解により発生する単位時間当りの酸素発生量より大きい酸素透過率が得られるとともに、単位時間当たりの過酸化水素の分解する質量ｘを前記含有率ｙで除した質量ｚの水が単位時間当たりに蒸発するとした場合の値にほぼ等しい水蒸気透過率が得られるものを使用する。【選択図】  図１
2008168950.tif 000002
【特許請求の範囲】
【請求項１】
水に対する過酸化水素の含有率がｙである２剤型染毛剤第二剤をフィルムよりなる容器内に充填して包装体を製造するに当たり、
前記フィルムとして、包装体中における過酸化水素の分解により発生する単位時間当りの酸素発生量より大きい酸素透過率が得られるとともに、単位時間当たりの過酸化水素の分解する質量ｘを前記含有率ｙで除した質量ｚの水が単位時間当たりに蒸発するとした場合の値にほぼ等しい水蒸気透過率が得られるものを使用することを特徴とする、包装体の製造方法。
【請求項２】
前記フィルムとして、該フィルムから製作した容量１００ｍｌ、内面積０．０２３ｍ２の容器に２剤型染毛剤第二剤を充填した場合に、保管温度４０℃の環境下での酸素透過率が８ｃｃ／１８０日、水蒸気透過率が２．５〜４．５ｇ／１８０日となるものを使用することを特徴とする、請求項１記載の包装体の製造方法。
【請求項３】
前記フィルムとして、該フィルムから製作した容量１０００ｍｌ、内面積０．０６８ｍ２の容器に２剤型染毛剤第二剤を充填した場合に、保管温度４０℃の環境下での酸素透過率が３００〜５００ｃｃ／１８０日、水蒸気透過率が２５〜４５ｇ／１８０日となるものを使用することを特徴とする、請求項１記載の包装体の製造方法。
【請求項４】
前記フィルムとして、該フィルムから製作した容量５００ｍｌ、内面積０．０４６ｍ２の容器に２剤型染毛剤第二剤を充填した場合に、保管温度４０℃の環境下での酸素透過率が１５０〜２５０ｃｃ／１８０日、水蒸気透過率が１２．５〜２２．５ｇ／１８０日となるものを使用することを特徴とする、請求項１記載の包装体の製造方法。
【請求項５】
請求項１〜４のいずれか１つに記載の方法によって製造された、包装体。
【発明の詳細な説明】
【技術分野】
【０００１】
本発明は、液体を詰めた包装体に関し、特に過酸化水素を含む液体を詰めた包装体に関する。
【背景技術】
【０００２】
従来から、液体及びその液体を詰めた容器からなる包装体では、種々の形態が提案されている。例えば、２剤型染毛剤第二剤は、過酸化水素その他の薬剤が溶け込んだ水溶液であるが、プラスチック製成型容器に詰めて販売されている。２剤型染毛剤第二剤が入っている従来のプラスチック製成型容器は、２剤型染毛剤第二剤を漏らさないために液密性を要求される。
【０００３】
２剤型染毛剤第二剤中の過酸化水素は、安定化の処理がなされていることから、２０℃前後の温度では比較的安定化しているものの、酸素を発生しつつ徐々に分解する。
【０００４】
従来の包装体は、過酸化水素等の化学物質を含む液体を備えており、さらに化学物質及び液体を入れるためのプラスチック製成型容器を備えている。液密性を有するプラスチック製成型容器は、同時に気密性も有していることから、過酸化水素が発生する酸素など、化学物質が発生するガスによって膨張するという問題を抱えている。
【０００５】
また、過酸化水素等の化学物質が化学反応によって変化するため、内容物に占める当該化学物質の含有率が減少するという問題も生じる。
【特許文献１】特開２００１−１０６４２号公報
【特許文献２】特表２００１−５１１４１６号公報
【特許文献３】特願２００１−３２１０３１号（特開２００３−１１６６３２号）
【特許文献４】特開２０００−２２６０３３６号公報
【発明の開示】
【発明が解決しようとする課題】
【０００６】
本発明は、このような従来の構成が有していた問題を解決しようとするものであり、過酸化水素を含む２剤型染毛剤第二剤が詰められている容器からなる包装体の膨張を抑制するとともに、２剤型染毛剤第二剤中の過酸化水素の含有率を安定化させることを目的とする。
【課題を解決するための手段および発明の効果】
【０００７】
そして、本発明は上記目的を達成するために、第１の課題解決手段として、水に対する過酸化水素の含有率がｙである２剤型染毛剤第二剤をフィルムよりなる容器内に充填して包装体を製造するに当たり、前記フィルムとして、包装体中における過酸化水素の分解により発生する単位時間当りの酸素発生量より大きい酸素透過率が得られるとともに、単位時間当たりの過酸化水素の分解する質量ｘを前記含有率ｙで除した質量ｚの水が単位時間当たりに蒸発するとした場合の値にほぼ等しい水蒸気透過率が得られるものを使用した、包装体の製造方法を提供するものである。
ここで「水に対する過酸化水素の含有率」は過酸化水素の質量を水の質量で除した値である。
【０００８】
第２の課題解決手段は、第１の課題解決手段において、フィルムとして、該フィルムから製作した容量１００ｍｌ、内面積０．０２３ｍ２の容器に２剤型染毛剤第二剤を充填した場合に、保管温度４０℃の環境下での酸素透過率が８ｃｃ／１８０日、水蒸気透過率が２．５〜４．５ｇ／１８０日となるものを使用するものである。
【０００９】
第３の課題解決手段は、第１の課題解決手段において、フィルムとして、該フィルムから製作した容量１０００ｍｌ、内面積０．０６８ｍ２の容器に２剤型染毛剤第二剤を充填した場合に、保管温度４０℃の環境下での酸素透過率が３００〜５００ｃｃ／１８０日、水蒸気透過率が２５〜４５ｇ／１８０日となるものを使用するものである。
【００１０】
第４の課題解決手段は、第１の課題解決手段において、フィルムとして、該フィルムから製作した容量５００ｍｌ、内面積０．０４６ｍ２の容器に２剤型染毛剤第二剤を充填した場合に、保管温度４０℃の環境下での酸素透過率が１５０〜２５０ｃｃ／１８０日、水蒸気透過率が１２．５〜２２．５ｇ／１８０日となるものを使用するものである。
【００１１】
第５の課題解決手段は、第１から第４の課題解決手段のいずれかの方法によって製造された包装体である。
【００１２】
第１から第５の課題解決手段による作用効果は次のとおりである。すなわち、過酸化水素が分解して酸素が発生しても、発生した酸素を、フィルムを透過させて包装体外部に逃がすことができ、包装体内部に酸素を充満させない。また、過酸化水素の分解に伴って、２剤型染毛剤第二剤中の過酸化水素の質量が減少する。水は、包装体内が飽和蒸気圧に達していれば蒸発が進まないので、フィルムが透過する水蒸気量に応じて水の量を減じられる。フィルムを透過する水蒸気量を過酸化水素の質量変化に則して選定することにより水と過酸化水素の比をほぼ一定に保つことができる。
【００１３】
過酸化水素が分解して減少する質量をｘグラムとすると、質量ｘを過酸化水素の含有率ｙで除した値x／ｙが、過酸化水素が分解しても過酸化水素水の濃度を一定に保つために、単位時間当たりに取り除かなければならない水の質量ｚに相当する。水蒸気透過率は、この水の質量ｚが単位時間当りに蒸発するとした場合の値にほぼ等しく、従って余分な水を除去して過酸化水素水の濃度を安定に保てる。
【００１４】
また、第２ないし第４の課題解決手段によれば、同手段に係る選定条件を満たすフィルムを使用して容器を製作することにより、保管温度１５℃から３０℃で６ヶ月を越える長期間保管する場合における過酸化水素の濃度を安定化できる。
【発明を実施するための最良の形態】
【００１５】
以下、本発明の第１実施形態に係る包装体を図１に基づいて説明する。
図１は、本発明の第１実施形態に係る包装体の外観を示す斜視図である。
図１の包装体１は、プラスチックフィルム製の容器本体２、コネクタ３及び２剤型染毛剤第二剤（図示省略）を備えてなる。
プラスチックフィルム製容器本体２は、４枚のプラスチック製フィルムによって構成されている。正面側部の第１フィルム２ａに対応して背面側部の第２フィルム（図示省略）が配置され、第１及び第２フィルムは相互に上下縁部がヒートシールされてシール線４ａが上下位置に形成されている。
第３及び第４フィルムが各々半分に織り込まれた状態で、シール線４ａの端部の各々に、第３及び第４フィルムの各々の上下端部が挟み込まれている。
第１フィルム２ａと第２フィルムの横縁部は、襠をつくるために、第３フィルム２ｂ及び第４フィルム（図示省略）の横縁部にヒートシールされてシール線４ｂが形成される。
図２は、２剤型染毛剤第二剤の入っていない空の状態のプラスチックフィルム製容器を示す平面図及び正面図である。
図２に示すようにフィルム２ｂにより形成される襠が折り込まれた状態においては、フィルム数枚分まで薄くできる。そのため２剤型染毛剤第二剤を充填する前の空の状態について比較すると、従来のプラスチック製成型容器に比べ、プラスチックフィルム製容器本体２の占有体積を少なくでき、輸送し保管する際のコストを削減することができる。また、廃棄する際にも廃棄物の容積を減少させることができる。
【００１６】
図２に示すプラスチックフィルム製容器本体２に取り付けられているコネクタ３は、液密に再閉栓可能に構成されている。
コネクタ３は、例えば、正面側部の第１のフィルム２a（図２の紙面表側）と第２フィルム（図２の紙面裏側）とのヒートシールの際に、形成される上部シール線４ａの略中央部に取り付けられる。コネクタ３の取り付けは、第１フィルム２ａと第２フィルムとの間にコネクタ３を挟みこんだ状態でヒートシールすることにより行われる。
【００１７】
次に、コネクタ３の構成を図３及び図４に基づいて説明する。コネクタ３には、プラスチックフィルム製容器２内に詰められた２剤型染毛剤第二剤を出し入れするための貫通孔３ａが設けられている。また、コネクタ３には、プラスチックフィルム製容器本体２の内部側にキャップ３ｂが配設される。キャップ３ｂには、図４に示すように嵌合部３ｃが設けられ、図３に示すように嵌合部３ｃが貫通孔３ａに嵌合されることにより、プラスチックフィルム製容器本体２が液密に密封される。
【００１８】
次に、プラスチックフィルム製容器本体２を構成しているフィルムについて説明する。
第１から第４フィルムには同じ材質のものを用いてもよく、異なる材質のものとしてもよい。
１５℃から３０℃の条件で、数重量％から１０重量％の濃度の過酸化水素水を保管するのに適しているのは、例えば、厚さ数μｍから二十μｍのポリエチレンテレフタレートフィルム、厚さ数μｍから二十μｍのナイロンフィルム及び厚さ数十μｍから二百μｍのポリエチレンフィルムを容器の外側から内側に順に積層してなる積層フィルムである。
プラスチックフィルム製容器本体２の第１から第４フィルムのいずれかに上記のフィルムが含まれるか、又は全てを上記フィルムで構成してもよいが、上記フィルムは５００ｍｌから１０００ｍｌ程度の比較的大型の容器に適している。
また、上記フィルム構成においてさらに、ポリエチレンテレフタレートフィルムに酸化アルミニウムまたは酸化シリコンを蒸着した酸化アルミニウム層（アルミナ蒸着層）または酸化シリコン層（シリカ蒸着層）を備えてもよい。このフィルムを用いてプラスチックフィルム製容器本体２を構成する場合には、ガスバリア性が向上しており、１００ｍｌ程度の比較的小型の容器に適している。
また、プラスチックフィルム製容器本体２の第１から第４フィルムのいずれかに、厚さ数から二十μｍのポリエチレンテレフタレートフィルム、厚さ十から三十μｍのエチレンビニルアルコール共重合樹脂フィルム及び厚さ数十から二百μｍのポリエチレンフィルムを容器の外側から内側に順に積層してなる積層フィルムを用いてもよい。
【００１９】
美容室などの室内において、１５℃から３０℃の温度条件で保管する場合、次のことが実験的に確かめられている。即ち、６重量％の過酸化水素濃度の２剤型染毛剤第二剤を容量１００ｍｌ、内面積０．０２３ｍ２のプラスチックフィルム製容器本体２に入れたとき、保管温度４０℃の環境下での容器１個当たりの酸素透過率が８ｃｃ／１８０ｄａｙ、水蒸気透過率が２．５から４．５グラム／１８０ｄａｙに設定することにより、保管温度１５℃から３０℃で６ヶ月を越える長期保管において過酸化水素の濃度を安定化できることが確かめられている。
例えば、酸化アルミニウム層（アルミナ蒸着層）が蒸着された厚さ１２μｍのポリエチレンテレフタレートフィルム、厚さ１５μｍのナイロンフィルム及び厚さ１００μｍのポリエチレンフィルムを容器の外側から内側に順に積層してなる積層フィルム（以下アルミナ蒸着フィルムという）を２枚重ね合わせ、ポリエチレンフィルム同士をヒートシールして９０ｍｍ×１３０ｍｍのアルミナ蒸着フィルム製容器を製作し、６重量％の過酸化水素濃度を有する２剤型染毛剤第二剤を充填したものを製造した。アルミナ蒸着層は、ポリエチレンテレフタレートフィルムとナイロンフィルムの間に配置される。
【００２０】
上述のアルミナ蒸着フィルム製容器において、温度４０℃（相対湿度１０％程度）の乾燥機の中に入れて、６ヶ月間保管した後の過酸化水素濃度は、クリーム状の２剤型染毛剤第二剤について平均値で０．０６重量％濃度が薄まった。つまり、６重量％から５．９４重量％へ変化した。また、液状の２剤型染毛剤第二剤について平均値で０．２０重量％濃度が薄まった。
上述のアルミナ蒸着フィルム製容器を１５℃から３０℃の室内に保管した後、過酸化水素濃度は、クリーム状の２剤型染毛剤第二剤について平均値で０．０３重量％濃度が濃くなった。つまり、６重量％から６．０３重量％へ変化した。また、液状の２剤型染毛剤第二剤について平均値で０．０９重量％濃度が薄くなった。
【００２１】
一方、市販されているポリエチレン製ブロー成型容器（容量１リットル）に、上述のクリーム状の２剤型染毛剤第二剤を充填して上述の乾燥機の中で４０℃の条件で６ヶ月保管した後の過酸化水素濃度は、平均値で０．３１重量％濃度が薄くなった。また、液状の２剤型染毛剤第二剤について平均値で０．４２重量％濃度が薄くなった。
【００２２】
なお、厚さ１２μｍのポリエチレンテレフタレートフィルム、厚さ１５μｍのナイロンフィルム及び厚さ１２０μｍのポリエチレンフィルムを容器の外側から内側に順に積層してなる積層フィルムでプラスチックフィルム製容器本体２を構成した。そのような積層フィルムからなるプラスチックフィルム製容器本体２の容量が１０００ｍｌ、内面積が０．０６８ｍ２である場合に、保管温度４０℃の環境下での容器１個当たりの酸素透過率が３００から５００ｃｃ／１８０ｄａｙ、水蒸気透過率が２５から４５グラム／１８０ｄａｙに設定することにより、保管温度１５℃から３０℃で６ヶ月を越える長期間保管する場合における過酸化水素の濃度を安定化できることが確かめられている。
【００２３】
また、プラスチックフィルム製容器本体２の容量が５００ｍｌ、内面積が０．０４６ｍ２である場合に、保管温度４０℃の環境下での容器１個当たりの酸素透過率が１５０から２５０ｃｃ／１８０ｄａｙ、水蒸気透過率が１２．５から２２．５グラム／１８０ｄａｙに設定することにより、保管温度１５℃から３０℃で６ヶ月を越える長期間保管する場合における過酸化水素の濃度を安定化できることが確かめられている。
【００２４】
プラスチックフィルム製容器本体２の全体としての酸素透過率を、過酸化水素が分解して生じる単位時間あたりの酸素発生量と同程度か少し大きな値に設定してもよく、上述のように、単位時間あたりの酸素発生量に比べ、酸素透過率を十分大きく設定してもよく、プラスチックフィルム製容器本体２の膨張を防止することができる。
【図面の簡単な説明】
【００２５】
【図１】本発明の第１実施形態に係る包装体の外観を示す斜視図である。
【図２】２剤型染毛剤第二剤の入っていない空の状態のプラスチックフィルム製容器を示すものであって、（Ａ）は平面図、（Ｂ）は正面図である。
【図３】コネクタ部分の一部拡大平面図である。
【図４】コネクタ部分の一部拡大平面図である。
【符号の説明】
【００２６】
１  包装体
２  プラスチックフィルム製容器本体
３  コネクタ
【図１】
2008168950.tif 000003
【図２】
2008168950.tif 000004
【図３】
2008168950.tif 000005
【図４】
2008168950.tif 000006